(57)【要約】【課題】  ガス流量の計量情報と電源である燃料電池の動作情報を比較検証することで、安全性を確保したガスメーターを提供すること。【解決手段】  電源である燃料電池１と、燃料電池１の動作検出とガス流量検出とガス遮断を行う制御部２と、燃料電池の動作検出の情報とガス流量検出の情報とを比較判定する比較判定手段３を備え、ガス流量の計量情報と電源である燃料電池の動作情報とを比較検証する。これによって、より高い安全性を確保することができる。【選択図】  図１
2005083749.tif 000002
【特許請求の範囲】
【請求項１】
ガスを用い電源を供給する燃料電池と、前記燃料電池の動作検出とガス流量検出とガス遮断を行う制御部と、前記燃料電池の動作検出した情報と前記ガス流量検出した情報の比較判定手段を備えてなるガスメーター。
【請求項２】
制御部は、燃料電池の動作検出した情報と前記ガス流量検出した情報の比較判定手段の比較情報を伝送する通信手段を備えてなる請求項１記載のガスメーター。
【請求項３】
制御部は、燃料電池の動作検出した情報と前記ガス流量検出した情報の比較判定手段の比較情報を表示する表示手段を備えてなる請求項１記載のガスメーター。
【請求項４】
表示手段は、燃料電池の動作検出した情報と前記ガス流量検出した情報を同時もしくは交互に表示する請求項３記載のガスメーター。
【請求項５】
比較判定部は、燃料電池の動作検出した情報と前記ガス流量検出した情報の比較判定基準値を、制御部の通信手段により更新する請求項１記載のガスメーター。
【発明の詳細な説明】
【技術分野】
【０００１】
本発明は、自己発電機能を有するガスメーターに関するものである。
【背景技術】
【０００２】
従来、ガスメーターはガス流量検出した情報により保安機能の判定をし、ガス遮断するものであった（例えば、非特許文献１参照）。
【０００３】
図３は、従来のガス保安メーターを示すものである。図３において、２はガス流量検出とガス遮断を行う制御部である。
【非特許文献１】社団法人  日本ガス協著「業務用マイコンメーター（３０〜１２０号）技術資料」、平成７年１０月
【発明の開示】
【発明が解決しようとする課題】
【０００４】
しかしながら、前記従来の構成では、燃料電池を動作電源として使用した場合、電源である燃料電池の詳細な動作状況を確認ができる手段がないという課題を有していた。
【０００５】
本発明は、前記従来の課題を解決するもので、ガス流量の計量情報と電源である燃料電池の動作情報を比較検証することで、より安全性を高めたガスメーターを提供することを目的とする。
【課題を解決するための手段】
【０００６】
前記従来の課題を解決するために、本発明のガスメーターは、ガス流量の計量情報と電源である燃料電池の動作情報を比較検証するようにしたものである。これによって、燃料電池の動作状況を高精度に確認でき、安全性をより高めることができる。
【発明の効果】
【０００７】
以上のように、本発明によれば、ガス流量の計量情報と電源である燃料電池の動作情報を比較検証することにより、燃料電池の動作状況を高精度に確認でき、安全性をより高めることができる。
【発明を実施するための最良の形態】
【０００８】
請求項１に記載の発明は、ガス流量の計量情報と電源である燃料電池の動作情報を比較判定手段により比較検証することで、燃料電池の動作状況を高精度に判定でき、比較判定結果によっては制御部によりガス遮断することもでき、安全性をより高めることができる。
【０００９】
請求項２記載の発明は、請求項１に記載の比較判定手段の判定情報を、制御部の通信手段により外部に伝送することができ、安全性とメンテナンス時の利便性をさらに高めることができる。
【００１０】
請求項３記載の発明は、特に、請求項１に記載の比較判定手段の判定情報を制御部の表示手段に表示することで、外部から容易に確認することが可能となり、安全性とメンテナンス時の利便性をさらに高めることができる。
【００１１】
請求項４記載の発明は、請求項３に記載の表示手段の表示内容を、燃料電池の動作検出した情報と前記ガス流量検出した情報を同時もしくは交互に表示するため、より詳細な燃料電池の動作状況を確認でき利便性を向上することができる。
【００１２】
請求項５記載の発明は、特に、請求項１に記載の燃料電池の動作検出した情報と前記ガス流量検出した情報の比較判定する基準値を、制御部の通信手段によりいつでも更新することができ、敏速なデータ更新の対応が可能となる。
【００１３】
以下、本発明の具体的な実施の形態について、図を参照しながら説明する。
【００１４】
（実施の形態１）
図１は、本発明の実施の形態１におけるガスメーターを示すものである。図１において、１はガスメーターに内蔵されガスを用いガスメーターの動作電源となる燃料電池である。２は燃料電池の動作検出とガス流量検出とガス遮断を行う制御部である。３は燃料電池の動作検出した情報とガス流量検出した情報を比較検証する比較判定手段である。４は燃料電池の動作検出した情報と前記ガス流量検出した情報の比較判定手段の比較情報を伝送する制御部の通信手段である。５は燃料電池の動作検出した情報と前記ガス流量検出した情報の比較判定手段の比較情報をガスメーターの外部に表示する制御部の表示手段である。
【００１５】
以上のように構成されたガスメーターについて、図２に示した比較判定手段の作動フローチャートを用い、以下にその動作、作用を説明する。
【００１６】
まず、ガスメーターの制御部２は、常に燃料電池１の動作状況とガス流量を監視している。また比較判定部３は、制御部２が検出した燃料電池の動作情報とガス流量情報からそれぞれ正常な出力レベルを演算する（作動フローチャート中の６と７）。ガス流量が全て燃料電池のエネルギーとして使用されている場合には、比較判定部３の正常な演算結果は、予め制御部の通信手段４から最新データに更新している判定基準値（作動フローチャート中の８と９）内に収まるはずである。比較判定部３は、この出力比較演算を行い（作動フローチャート中の１０）、その結果を制御部の表示手段５に出力表示し、かつ通信手段４から外部に伝送通信し（作動フローチャート中の１１）、比較判定結果によっては制御部によりガス遮断することもできる（作動フローチャート中の１２と１３）。
【００１７】
このようにガス流量の計量情報と電源である燃料電池の動作情報を比較判定手段により比較検証することで、燃料電池の動作状況を高精度に判定でき、安全性を高めることができる。また、比較判定手段の判定情報を、制御部の通信手段により外部に伝送することができ、安全性とメンテナンス時の利便性をさらに高めることができる。さらに、比較判定手段の判定情報を制御部の表示手段に表示することで、外部から容易に確認することが可能となり、安全性とメンテナンス時の利便性をさらに高めることができる。
【００１８】
以上のように、本実施の形態においてはガス流量の計量情報と電源である燃料電池の動作情報を比較検証することにより、燃料電池の動作状況を高精度に確認でき、安全性をより高めることができる。
【００１９】
また、本実施の形態の表示手段の表示内容を、燃料電池の動作検出した情報と前記ガス流量検出した情報を同時もしくは交互に表示することにより、より詳細な燃料電池の動作状況を確認でき利便性を向上することができる。
【産業上の利用可能性】
【００２０】
本発明に係るガスメーターは、搭載される機器の燃料電池の動作状況を高精度に確認する必要があるような技術分野等の用途にも適用可能である。
【図面の簡単な説明】
【００２１】
【図１】本発明の実施の形態におけるガスメーターの構成図
【図２】同ガスメーターの比較判定手段の作動フローチャート
【図３】従来のガスメーターの構成図
【符号の説明】
【００２２】
１  燃料電池
２  制御部
３  比較判定手段
４  通信手段
５  表示手段
【図１】
2005083749.tif 000003
【図２】
2005083749.tif 000004
【図３】
2005083749.tif 000005